(57)【要約】      （修正有）【課題】拡張カード用ガイドに亀裂などの破損が生じることを防ぎ製品不良を低減させ、組立工数の削減可能な電子機器電子機器を提供する。【解決手段】電子機器１は、カード型の電子機器である拡張カード２が挿入されて接続される接続端子であるコネクタ４ｂを備えた板状部を含む筐体３と、筐体と一体成型されかつ拡張カードの移動経路方向にて拡張カードの側面を案内する一対のガイド部３ｆと、を有する。一対のガイド部は、拡張カードの移動経路方向に交差する移動経路の幅方向において分割された、複数対のガイド体である分割ガイド部３ｆ１Ｌ〜３ｆ３Ｒで構成されている。【選択図】図３
2020098525.tif 000002
【特許請求の範囲】
【請求項１】
カード型の電子機器の機器端子を接続可能な接続端子を支持する板面を有する板状部と、
前記板状部と一体成型され、各々が前記機器端子を前記接続端子に接続する際の前記カード型の電子機器の移動経路を挟んで互いに対向するように前記板面から突出してかつ前記カード型の電子機器の前記移動経路に沿った方向において互いに離間しており、かつ前記カード型の電子機器を案内する複数対のガイド体と、
を有することを特徴とする電子機器。
【請求項２】
前記複数対のガイド体の各対は、前記移動経路の幅方向に所定距離を隔て対向して平行に配置されたガイド面と、該ガイド面から前記移動経路の幅方向にて互いに対向して突出する突出壁と、を備えている、
ことを特徴とする請求項１に記載の電子機器。
【請求項３】
前記複数対のガイド体の各対は、前記板状部から立った状態で前記板状部と一体成型され、前記板状部から所定の高さを有する脚部を備えている、ことを特徴とする請求項１又は２に記載の電子機器。
【請求項４】
前記複数対のガイド体の各対は、前記カード型の電子機器の移動経路方向に沿って挿入側に傾斜するテーパー面を備えている、ことを特徴とする請求項１から３の何れか一項に記載の電子機器。
【請求項５】
前記接続端子は、前記板状部を含む筐体に保持されたプリント回路板上に設けられている、ことを特徴とする請求項１から４の何れか一項に記載の電子機器。
【請求項６】
前記プリント回路板は、前記カード型の電子機器を案内する付加的ガイド部として機能する、
ことを特徴とする請求項５に記載の電子機器。
【発明の詳細な説明】
【技術分野】
【０００１】
本発明は、拡張カードが実装される電子機器に関し、拡張カードの案内のための筐体構造に関する。
【背景技術】
【０００２】
拡張カードには、ＰＣＭＣＩＡ（Personal Computer Memory Card International Association）の標準規格によるＰＣカード（PC Card）やエクスプレスカード（Express card）があり、実装される電子機器の機能を拡張するカード状装置として知られている。
【０００３】
拡張カードが装着可能な電子機器には、当該カードを収納できるカードスロットが形成されている。そのカードスロットには、ＰＣカードに設けられている端子との接続用のコネクタが配置されている。拡張カードの装着は、カード端子が設けられている先端部をカードスロットに挿入して、カード端子をコネクタに電気的に接続して行うようになっている。
【０００４】
特許文献１には、携帯端末内部において、挿入されてきたＰＣカードを導く一対のガイド部材が配置され、それらのガイド部材がＰＣカードの形状に合わせて突起を形成することにより、筐体と一体化させている従来技術が記載されている。
【０００５】
特許文献２には、カードの出し入れをガイドするガイドを小型電子機器の底面部分に設けた従来技術が記載されている。
【先行技術文献】
【特許文献】
【０００６】
【特許文献１】特開平10-302892号公報
【特許文献２】特開平11-095870号公報
【発明の概要】
【発明が解決しようとする課題】
【０００７】
従来の電子機器の成型筐体にＰＣカード用のガイドを設ける場合は、成型筐体を製造する際の射出成型用の金型製造上の制約があり、当該ガイド形状を維持することが困難な場合があるという課題があった。
【０００８】
例えば、図１のようなアンダーカット形状を有する成型筐体を、例えば、図２のような傾斜ロッドおよび傾斜コアを用いた金型装置にて成型を行うと、傾斜コアに対する成型筐体の部分の喰い付力は想像以上に大きくなる場合がある。
【０００９】
図２（ａ）に示すように、固定側金型部材と可動側金型部材を型締し、これら固定側金型部材、可動側金型部材２および傾斜コアの間に形成されたキャビティ内にゲート（図示せず）から溶融樹脂を流し込み、充填された樹脂を固化する。その後、固定側金型部材から可動側金型部材を型開して成型筐体を露出させ（図２（ｂ）、傾斜コア及び押出ピンにより成型筐体を突き出す（図２（ｃ）。ここで傾斜ロッドにより傾斜コアが駆動されて、傾斜コアが成型筐体のガイドから離れる方向（図示の左方向）へ移動する。傾斜コアが移動するのに伴い、図５（ｄ）に破線で示す想定位置から平行突出部のあるガイド脚部が内方へ変位しつつ、成型筐体のガイドが傾斜コアから抜ける。ここで、ガイドの平行突出形状部分と筐体との間に長いアンダーカットが入っているような場合にガイド脚部に図示左方向の力が加わって歪が生じ、ガイド脚部の根元部に亀裂が生じやすく、製品の不良となるおそれがある。
【００１０】
またさらに、拡張カードも規格が新しくなるにつれて小型化が進みExpress card規格の場合はカードの幅寸法がこれまでのＰＣカード規格より大幅に小さくなったため、従来のガイド構造では形成することができなくなる場合があるという課題があった。
【００１１】
そこで本発明は、上述の点に鑑みてなされたものであり、拡張カード用ガイドに亀裂などの破損が生じることを防ぎ製品不良を低減させ、組立工数の削減可能な電子機器を提供することを目的とする。
【課題を解決するための手段】
【００１２】
本発明の電子機器は、カード型の電子機器の機器端子を接続可能な接続端子を支持する板面を有する板状部と、
前記板状部と一体成型され、各々が前記機器端子を前記接続端子に接続する際の前記カード型の電子機器の移動経路を挟んで互いに対向するように前記板面から突出してかつ前記カード型の電子機器の前記移動経路に沿った方向において互いに離間しており、かつ前記カード型の電子機器を案内する複数対のガイド体と、を有することを特徴とする。
【００１３】
換言すれば、本発明の電子機器は、カード型の電子機器である拡張カードが挿入されて接続される接続端子であるコネクタを備えた板状部を含む筐体と、
前記筐体と一体成型されかつ前記拡張カードの移動経路方向にて前記拡張カードの側面を案内する一対のガイド部と、を有し、前記拡張カードを装着して用いる電子機器であって、
前記一対のガイド部は、前記拡張カードの移動経路方向に交差する移動経路の幅方向において分割された、複数対のガイド体である分割ガイド部で構成されている、ことを特徴とする。
【００１４】
本願発明によれば、ガイド構造を従来のものから形状を変更し分割した分割ガイド構造としても、本来のガイド機能を損なわず、製品不良を低減させて組立工数の削減の効果が得られる。
【図面の簡単な説明】
【００１５】
【図１】本発明の解決課題を説明する成型筐体を示す斜視図である。
【図２】本発明の解決課題を説明する成型筐体を射出成型する傾斜ロッドおよび傾斜コアを用いた金型装置の部分断面図である。
【図３】本発明の第１の実施例に係る電子機器を示す斜視図である。
【図４】図３の線ＡＡにおける部分断面図である。
【図５】図３の線ＢＢにおける部分断面図である。
【図６】本発明の第１の実施例に係る電子機器の分割ガイド部およびコネクタの各部寸法の定義を説明する部分断面図である。
【図７】本発明の第１の実施例に係る電子機器に無線カードを筐体導入口から挿入する際のカードの傾き角度とカードの先端位置の定義を説明する部分断面図である。
【図８】本発明の第１の実施例に係る電子機器に無線カードを筐体外側からコネクタに接続する際の動作を説明するイメージ図である。
【図９】本発明の第１の実施例に係る電子機器に無線カードを筐体外側からコネクタに接続する際の動作を説明するイメージ図である。
【図１０】本発明の第１の実施例に係る電子機器に無線カードを筐体外側からコネクタに接続する際の動作を説明するイメージ図である。
【図１１】本発明の第２の実施例に係る電子機器において前後に縦断した部分断面図である。
【図１２】本発明の第３の実施例に係る電子機器において前後に縦断した部分断面図である。
【発明を実施するための形態】
【００１６】
以下に本発明の実施例の電子機器を説明する。なお、以下の説明および添付図面においては、実質的に同一又は等価な部分には同一の参照符号を付し、重複した説明は省略する。また、説明の便宜上、図に示すように前側を決めて、その反対を後側とし、当該前側から見て左右上下をそれぞれ左側（Ｌ）、右側（Ｒ）、上側および下側として定義して説明する。
【実施例１】
【００１７】
（構成の説明）
図３〜図５は第１の実施例の電子機器１における無線カード２のガイド機能を兼ねた筐体３を示す。本実施例の電子機器１の筐体３は略長方体形状の外観を有している。図に示すように、筐体３内には種々の電子部品を搭載したプリント回路板４が内蔵されているが、説明を簡略するために、電子部品や電子部品間のケーブルなどを省略して示している。さらに、筐体３の外観における操作パネルなどのスイッチ類も省いている。
【００１８】
筐体３の内部には無線カード２の接続用のコネクタ４ｂを備えたプリント回路板４が、筐体３の内壁（図示せず）に固定、収容されている。プリント回路板４は筐体３の前後面に平行に配置され、筐体３の上側面にはプリント回路板４に平行に無線カード導入口３ｅ（スロット）が設けられ、筐体３の後面側にはスロット３ｅからプリント回路板４のコネクタ４ｂまで抜き差し移動経路を挟む無線カード接続用のカードガイド３ｆが立設されている。図示しないが下端にある無線カード２の機器端子はコネクタ４ｂに接続可能である。
【００１９】
一対のガイド部であるカードガイド３ｆは、金型製造上の制約からガイド長さおよびガイド間の間隔を所定の距離開ける必要があるため、３対に分割された分割ガイド部（ガイド体）、第１対３ｆ１Ｌ−３ｆ１Ｒ、第２対３ｆ２Ｌ−３ｆ２Ｒ、および第３対３ｆ３Ｌ−３ｆ３Ｒとして設けられている。
【００２０】
各分割ガイド部の対の分割ガイド部はガイド部の中心軸線に対して左右対称形状を有する。分割ガイド部の各対は、移動経路の幅方向に所定距離を隔て対向して平行に配置されたガイド面と、該ガイド面から移動経路の幅方向にて互いに対向して突出する突出壁と、を備えている。分割ガイド部の各対は、移動経路に沿った方向において互いに離間している。また、分割ガイド部の各対は、筐体３の板状部（後面）から立った状態で一体成型され、該板状部から所定の高さを有する脚部を備えている。
【００２１】
３分割された分割ガイド部の各対は、無線カード２のガイド機能を向上させるため、その形状がカード導入口３ｅ側（上側）に開いた、すなわちカードの移動経路方向に沿って挿入側に傾斜するテーパー面Ｔを有していることが好ましい。テーパー面Ｔは、無線カード２の前後および左右の移動を抑制して、続くガイド面へ誘導するように構成されている。
【００２２】
図４に示し図３、図５に示さないが、カード導入口３ｅと第１対３ｆ１Ｌ−３ｆ１Ｒとの間に無線カード２の前後の移動を抑制してカード導入口３ｅから第１対３ｆ１Ｌ−３ｆ１Ｒへ誘導する、カード導入口３ｅ周縁に捩じりバネで前から後へ付勢された蓋部材３Ｇと、筐体３（後面）から立設されかつカード導入口３ｅ側（上側）に傾いて移動経路をふさがない補助案内部３Ｈと、を設けることが好ましい。
【００２３】
図６は分割ガイド部、コネクタの各部寸法を定義した上記電子機器の部分断面図である。
【００２４】
Express card規格準拠の無線カード２の幅寸法Ｗは規格より３４ｍｍである。
【００２５】
カード導入口３ｅの筐開口の幅寸法をＸ０（無線カード２の幅に対応）、その片端を基準点Ｓ０とし、カード導入口３ｅの筐体内側の幅寸法をＸ１、その基準点をＳ１（Ｓ０と対称側）とする。
【００２６】
第１対目の分割ガイド部３ｆ１Ｌと３ｆ１Ｒの上端幅寸法（テーパー面Ｔ上端）をＸ２、下端幅寸法をＸ３、その基準点を上端Ｓ２、下端Ｓ３とする。
【００２７】
第２対目の分割ガイド部３ｆ２Ｌと３ｆ２Ｒの上端幅寸法をＸ４（テーパー面Ｔ上端）、下端幅寸法（ガイド面下端）をＸ５、その基準点を上端Ｓ４、下端Ｓ５とする。
【００２８】
第３対目の分割ガイド部３ｆ３Ｌと３ｆ３Ｒの上端幅寸法をＸ６（テーパー面Ｔ上端）、下端幅寸法をＸ７（ガイド面下端）、その基準点を上端Ｓ６、下端Ｓ７とする。また、コネクタ４ｂのスロット幅寸法をＸ８、その基準点を上端Ｓ８とする。
【００２９】
カード挿入方向についても、基準点Ｓ０から筐体内面までの鉛直寸法をＹ１、第１対目の分割ガイド部３ｆ１の上端までの鉛直寸法をＹ２、下端までをＹ３、第２対目の分割ガイド部３ｆ２の上端までをＹ４、下端までをＹ５、第３対目の分割ガイド部３ｆ３の上端までをＹ６、下端までをＹ７と定義する。また、コネクタ４ｂの上端Ｓ８まで鉛直寸法をＹ８と定義する。
【００３０】
分割ガイド部３ｆ２Ｌと３ｆ２Ｒと３ｆ３Ｌと３ｆ３Ｒの各ガイド長は、対の離間距離に応じて設定され得る。カード移動経路に沿った方向において互いに分割、離間している第１対３ｆ１Ｌ−３ｆ１Ｒと第２対３ｆ２Ｌ−３ｆ２Ｒとの間の離間距離の空間には、例えば、図２のような傾斜ロッドおよび傾斜コアを用いた金型装置にて第１対と第２対とを成型を行う場合に、傾斜コアからオフセットした傾斜ロッドを配置できる。当該傾斜ロッドの径に応じて、第１対３ｆ１Ｌ−３ｆ１Ｒと第２対３ｆ２Ｌ−３ｆ２Ｒとの間の離間距離と各ガイド長が設定され得る。
【００３１】
筐体３の一体成型用樹脂材料としては、ＡＢＳ（アクリルニトリルブタジエンスチレン）、ＡＳＡ（アクリレートスチレンアクリルニトリル）、ＡＥＳ（アクリロニトリルエチレン−プロピレン−ジエンスチレン）などのエンジニアリングプラスチックを用いて形成されてもよい。また、筐体３の一部分は、金属材料を用いて形成されてもよい。
【００３２】
（動作の説明）
図７は無線カードを筐体導入口から挿入する際のカードの傾き角度とカードの先端位置を定義した上記電子機器の部分断面図である。
【００３３】
無線カード２の中心軸線がガイド部の中心軸線に対して角度θｎで挿入される際の無線カード先端点ｎの位置寸法として、カード導入口３ｅ中心から無線カード先端点ｎまでの水平寸法をＸｎ／２と、基準点Ｓ０から無線カード先端点ｎまでの鉛直寸法をＹｎと、定義する。
【００３４】
以上の定義により、カード導入口３ｅの幅寸法Ｘ０を用いて各寸法の関係を下記式で表すことができる。
Ｘｎ／２＋Ｘ０／２＝Ｗ／ｃｏｓθｎ＋Ｙｎ・ｔａｎθｎ
Ｗ＝３４のため、上記式は、
（Ｘｎ＋Ｘ０）／２＝３４／ｃｏｓθｎ＋Ｙｎ・ｔａｎθｎ
と表すことができる。
【００３５】
図８、図９および図１０は無線カードを筐体外側からコネクタに接続する際の動作イメージである。
【００３６】
無線カード２がカード導入口３ｅから挿入される際、基準点Ｓ０と各基準点Ｓ１〜Ｓ８を通るカード角度をθ１〜θ８とする。
【００３７】
まず、図８に示すように、第１対目の分割ガイド部３ｆ１Ｌ通過時にθ１〜θ３まで傾いて挿入される場合があるため、分割ガイド部３ｆ１Ｌがガイド機能を有するには、Ｘ２＞Ｘ１＞Ｘ３かつθ２＞θ１＞θ３である必要がある。
【００３８】
次に、図９に示すように、無線カード２が第２対目の分割ガイド部３ｆ２Ｌ通過する際もθ３〜θ５まで傾く場合があるため、分割ガイド部３ｆ２Ｌがガイド機能を有するには、Ｘ４＞Ｘ３＞Ｘ５かつθ４＞θ３＞θ５である必要がある。
【００３９】
次に、図１０に示すように、第３対目の分割ガイド部３ｆ３Ｌを通過する際もθ５〜θ７まで傾く場合があるため、分割ガイド部３ｆ３Ｌがガイド機能を有するには、Ｘ６＞Ｘ５＞Ｘ７かつθ６＞θ５＞θ７である必要がある。
【００４０】
最後に無線カード２がコネクタ４ｂに挿入されるには、Ｘ８＞Ｘ７＞Ｗかつθ８＞θ７である必要がある。
【００４１】
以上のように、プリント回路板を内部に搭載する装置において、射出成型用の金型で製造可能な下記（１）〜（５）
（Ｘｎ＋Ｘ０）／２＝３４／ｃｏｓθｎ＋Ｙｎ・ｔａｎθｎ（ｎ＝１〜８）……（１）
Ｘ２＞Ｘ１＞Ｘ３かつθ２＞θ１＞θ３……（２）
Ｘ４＞Ｘ３＞Ｘ５かつθ４＞θ３＞θ５……（３）
Ｘ６＞Ｘ５＞Ｘ７かつθ６＞θ５＞θ７……（４）
Ｘ８＞Ｘ７＞Ｗかつθ８＞θ７……（５）
を満たすことにより、無線カード（Express card規格準拠）が挿入可能なカードガイド構造が達成され、無線カード２がコネクタ４ｂに容易に接続されるようになる。
【００４２】
（効果の説明）
以上のように、第１の実施例によれば、金型上の制約に合わせてガイド構造を従来の物から形状を変更し分割したガイド構造としても、本来のガイド機能を損なわず、射出成形の際の分割ガイド部用傾斜コアに対する成型筐体のカードガイド３ｆ部分の喰い付力を減らすことができ各対の変形防止が達成できると共に、プリント回路板を搭載する筐体３自身でカードガイド３ｆを形成できるため、部材点数の削減と組立工数の削減の効果が期待できる。
【実施例２】
【００４３】
（構成の説明）
図１１は、第２の実施例の電子機器筐体の断面図である。本実施例は、第１の実施例の分割ガイド部の各対における前側のテーパー面Ｔを含む突出壁を設けないで、プリント回路板４の後面が無線カード２の主面（前面）を案内する付加的ガイド部として構成した以外、第１の実施例と同一である。なお、この場合、プリント回路板４の後面は絶縁処理しておくことが好ましい。
【００４４】
（効果の説明）
本実施例によれば、第１の実施例と同様の効果が得られると共に、前側の突出壁を設けない分、射出成形の際の分割ガイド部用傾斜コアに対する成型筐体のカードガイド３ｆ部分の喰い付力をさらに減らすことができるため、各対の変形防止が第１の実施例よりさらに期待できる。さらに、装置全体の薄型化に貢献できる。
【実施例３】
【００４５】
（構成の説明）
図１２は、第３の実施例の電子機器筐体の断面図である。本実施例は、第１の実施例の分割ガイド部の各対におけるテーパー面Ｔを設けないで、突出壁をすべて平行壁にして、断面形状がＦ字形状の第１対３ｆ１Ｌ−３ｆ１Ｒ、第２対３ｆ２Ｌ−３ｆ２Ｒ、および第３対３ｆ３Ｌ−３ｆ３Ｒとし、さらにカード導入口３ｅの周縁に無線カード２の前後の移動を抑制して誘導する一体成型された角筒通路３ＧＧを設けて構成した以外、第１の実施例と同一である。なお、図１２では、第１対の３ｆ１Ｌ、第２対の３ｆ２Ｌ、および第３対３ｆ３Ｌだけを示している。角筒通路３ＧＧの貫通孔の形状は無線カード２が遊嵌できる形状に構成されている。
【００４６】
（効果の説明）
本実施例によれば、第１の実施例と同様の効果が或る程度得られると共に、断面形状が単純なＦ字形状のカードガイド３ｆ部分が形成できるため、金型コスト軽減が期待できる。
【符号の説明】
【００４７】
１  電子機器
２  無線カード
３  筐体
４  プリント回路板
４ｂ  コネクタ
３ｆ１Ｌ−３ｆ１Ｒ  分割ガイド部の第１対
３ｆ２Ｌ−３ｆ２Ｒ  分割ガイド部の第２対
３ｆ３Ｌ−３ｆ３Ｒ  分割ガイド部の第３対
【図１】
2020098525.tif 000003
【図２】
2020098525.tif 000004
【図３】
2020098525.tif 000005
【図４】
2020098525.tif 000006
【図５】
2020098525.tif 000007
【図６】
2020098525.tif 000008
【図７】
2020098525.tif 000009
【図８】
2020098525.tif 000010
【図９】
2020098525.tif 000011
【図１０】
2020098525.tif 000012
【図１１】
2020098525.tif 000013
【図１２】
2020098525.tif 000014